(57)【特許請求の範囲】
【請求項１】
上下がクラウン又はサイドクラウンに固定され、左右が開口している、横幅が1 cm〜4 cmの帯状体を複数、前記クラウン又はサイドクラウンの右又は左側面の下部に、前記横幅の1/2倍〜1倍の間隔で有する帽子であって、
前記複数の帯状体は、前記固定された上下の間において、水平方向に前記クラウン又はサイドクラウンにさらに固定され、前記開口が上下に複数設けられていることを特徴とする帽子。
【請求項２】
上下がクラウン又はサイドクラウンに固定され、左右が開口している、横幅が1 cm〜4 cmの帯状体を複数、前記クラウン又はサイドクラウンの右側面から前面を通って左側面にわたる下部に、前記横幅の1/2倍〜1倍の間隔で有する帽子であって、
前記複数の帯状体は、前記固定された上下の間において、水平方向に前記クラウン又はサイドクラウンにさらに固定され、前記開口が上下に複数設けられていることを特徴とする帽子。
【請求項３】
前記帽子は、頭頂部が空いている、サイドクラウンと庇から成るサンバイザーであることを特徴とする請求項１又は２に記載の帽子。
【請求項４】
前記帽子は、クラウンが頭頂部を覆うものであることを特徴とする請求項１又は２記載の帽子。
【請求項５】
前記帯状体は眼鏡の左右のつるを挿入するためのものであることを特徴とする請求項２に記載の帽子。
【発明の詳細な説明】
【技術分野】
【０００１】
本発明は、装飾物を取り付けることができる帽子に関する。
【背景技術】
【０００２】
帽子は、頭部を覆うクラウンと、クラウンのすそから周囲に突き出た庇（鍔）を有し、従来より、そのクラウンや庇によって頭部や目を直射日光などから保護するために用いられると共に、ファッションアイテムの一つとして用いられている。また、クラウンの頭頂部が空いており、下方の頭部の周囲を巻回する部分（これをサイドクラウンと呼ぶ）と庇から成るサンバイザー（単に「バイザー」ともいう）も、実用性と共にファッションアイテムの一つとして用いられている。本明細書においては、これら、クラウンが頭頂部を覆う帽子とサイドクラウンと庇から成るサンバイザーを総称して「帽子」と呼ぶことがある。
【０００３】
例えば、特許文献１には、クラウンの下部周辺を装飾するための飾りベルトを取り替え得るようにすべく、複数のベルト通しをクラウンの下部に取り付けた帽子が記載されている。このベルト通しは細い輪状のもので、その下端部をクラウンと庇の境界の縫着部に縫着し、クラウンに沿って複数取り付けられている。使用者は、この複数のベルト通しに飾りベルトを水平に挿入し、好みや用途などに合わせて随時交換することができる。
【０００４】
また、非特許文献１には、巻回バンドと庇の縫着部に、径が数mmのループ状の紐を取り付けたサンバイザー（バイザー）が開示されている。使用者は、この紐にチャームなどをぶら下げ、お洒落を楽しむことができる。
【先行技術文献】
【特許文献】
【０００５】
【特許文献１】実開平5-096023号公報
【非特許文献】
【０００６】
【非特許文献１】"チャーム付きロゴバイザー", [online], Minority Collection, [平成25年9月25日検索], インターネット<URL:http://www.minority-c.com/shop/catalog/14/53202/>
【発明の概要】
【発明が解決しようとする課題】
【０００７】
このように帽子に取り付ける装飾物を取り替え可能にすることで、帽子をよりファッション性に富んだアイテムとして用いることができるが、女性が帽子をファッションアイテムとして用いる場合、普段使用している頭飾品と同じ物を帽子の装飾にも使うことができれば、統一したファッションを楽しむことができる。例えば、女性が普段髪を束ねるために用いている髪留めを、帽子を被ったときにも使うことができれば、帽子を被っていない時と被った時とで統一したファッションを楽しむことができる。
【０００８】
しかし、特許文献１に記載のベルト通しは長い飾りベルトやスカーフ等をその両端で固定するものであり、髪留め等を固定するにはその間隔が長すぎる。1つのベルト通しだけで固定しようとしても、下端のみにおいて帽子に取り付けられており、しかもその幅が短かすぎるため、髪留めのような、長いピンを有する装飾物を固定することができない。非特許文献１に記載のループ状の紐も同様である。
【０００９】
本発明が解決しようとする課題は、髪留めのような、長いピンを有する装飾物を安定して取り付けることができ、且つ装飾物を容易に取り替えることが可能な帽子を提供することである。
【課題を解決するための手段】
【００１０】
上記課題を解決するために成された本発明に係る帽子は、
上下がクラウン又はサイドクラウンに固定され、左右が開口している、横幅が1 cm〜4 cmの帯状体を複数、前記クラウン又はサイドクラウンの右又は左側面の下部に、前記横幅の1/2倍〜1倍の間隔で有する帽子であって、
前記複数の帯状体は、前記固定された上下の間において、水平方向に前記クラウン又はサイドクラウンにさらに固定され、前記開口が上下に複数設けられていること、
又は、
上下がクラウン又はサイドクラウンに固定され、左右が開口している、横幅が1 cm〜4 cmの帯状体を複数、前記クラウン又はサイドクラウンの右側面から前面を通って左側面にわたる下部に、前記横幅の1/2倍〜1倍の間隔で有する帽子であって、
前記複数の帯状体は、前記固定された上下の間において、水平方向に前記クラウン又はサイドクラウンにさらに固定され、前記開口が上下に複数設けられていること
を特徴とする。
【００１１】
ここで、「帽子」には、前記の通り、クラウンが頭頂部を完全に覆う通常の帽子の他、頭頂部が空いている、サイドクラウンと庇から成るサンバイザー（バイザー）を含む。
【００１２】
本発明の帽子では、帯状体の左右の開口に、例えば髪留めなどの装飾物の長いピン等の固定具を挿入し固定することにより、装飾物が庇に平行な状態（すなわち、水平な状態）で安定して固定され、ぶらぶら揺れ動くことがない。このため、髪留め等の装飾物を髪に留めたと同じ状態で帽子に留めることができ、帽子を被らない状態と被った状態とで統一したファッションを楽しむことができる。また、装飾物は、装飾物自体が有する、ピンや留め金具、クリップなどの固定具によって帯状体に取り付けられるため、容易に取り付けたり取り外したりすることが可能である。
【発明の効果】
【００１４】
本発明に係る帽子によると、髪留めのような、長いピン等の固定具を有する装飾物を安定して取り付けることができ、また、装飾物を容易に取り替えることができる。
【図面の簡単な説明】
【００１５】
【図１】本発明に係る帽子の第１実施例であるバイザーの斜視図(a)、装飾物の一例(b)、及び該バイザーに装飾物を取り付けた状態を示す斜視図(c)。
【図２】同実施例の1つの帯状体の拡大正面図。
【図３】同実施例の正面図。
【図４】同実施例の背面図。
【図５】同実施例の左側面図。
【図６】同実施例の右側面図。
【図７】同実施例の平面図。
【図８】同実施例の底面図。
【図９】本発明に係る帽子の第２実施例であるバイザーの斜視図(a)、及び該バイザーに装飾物を取り付けた状態を示す斜視図(b)。
【図１０】同実施例の正面図。
【図１１】同実施例の背面図。
【図１２】同実施例の左側面図。
【図１３】同実施例の右側面図。
【図１４】同実施例の平面図。
【図１５】同実施例の底面図。
【図１６】同実施例のバイザーに眼鏡を取り付けた状態を示す斜視図。
【発明を実施するための形態】
【００１６】
（第１実施例）
本発明に係る帽子の第１実施例であるバイザーについて、図１〜図８を参照しながら説明する。なお、以下の記載において左右は、帽子を装着している者からみた左右を指す（ただし、図５、図６、図１２、図１３の側面図は、帽子に向かって見た場合の左右である）。図１に示すように、本実施例のバイザー１は、庇２と、額から側頭部を経て後頭部の一部を被う巻回バンド（サイドクラウン）３と、巻回バンド３の両端部に設けられた、サイズ調節をするためのサイズ調節部４と、巻回バンド３の左側に備えられた2つの帯状体５とから構成される。
【００１７】
庇２は、厚紙又は樹脂から成る芯材の表裏を布で被覆したものである。巻回バンド３は、吸汗性の良い厚手の芯布の表面を、庇２と同じ被覆布で覆ったものである。巻回バンド３の幅wは、図１及び図３に示すように、額側から後頭部側にかけて次第に小さくなっている。
【００１８】
サイズ調節部４は、庇２の被覆布と同じ布に縫合した面ファスナー４ａ、４ｂから成る。面ファスナー４ａ、４ｂは、図１及び図４に示すように、それぞれ、巻回バンド３の右端３ｂ、左端３ｃに縫着されている。面ファスナー４ａ、４ｂの着脱位置を変更することで、使用者の頭部周長に合わせてバイザー１のサイズ調節をすることができる。
【００１９】
帯状体５は、庇２の被覆布と同じ布から形成されている。図２に示すように、帯状体は略長方形で、高さhは取り付けられる位置の巻回バンド３の幅wと略同じ大きさで、横幅bは約2.5 cmである。本実施例のバイザー１には、この帯状体５が2つ、左側頭部辺りの巻回バンド３に、約0.7 cmの間隔を空けて並べて取り付けられている。この帯状体５の幅bの寸法は、取り付けようとする装飾物の固定具（ピン等）に応じて設定すればよく、一般的には1〜4 cm程度である。また、隣接する帯状体５の間隔は、帯状体５の幅に応じて（これは、取り付けようとする装飾物の固定具の長さにも対応する）定めれば良く、一般的には0.5〜3 cm程度とする。
【００２０】
帯状体５は巻回バンド３に略垂直に配置され、その上端５ａは巻回バンド３の上側縁３ｄと縫合され、その下端５ｂは庇２の根元周縁２ａと巻回バンド３の下側縁３ａとの縫着部に縫合されている。さらに、帯状体５は、高さhを略三等分した中間部５ｅ、５ｆにおいて、巻回バンド３と縫合されている。帯状体５の右端５ｃと左端５ｄは、上端５ａ、下端５ｂ、中間縫合部５ｅ、５ｆ以外で横に開口している。ここで、この開口した部分を上から、開口ｏ１、ｏ２、ｏ３とする。
【００２１】
図１(c)は、本実施例のバイザー１の1つの帯状体５の中央の開口ｏ２に、髪留め６を挿入して固定した状態を示す斜視図である。髪留め６は、図１(b)に示すように、上クリップ片６ａと下クリップ片６ｂから成るハサミクリップ（固定具）と、その上クリップ片６ａに取り付けられた装飾部６ｃとから成る。ハサミクリップの把手側をつかみ、上クリップ片６ａと下クリップ片６ｂを開いて、取り付けたい部分の開口（本実施例では、右側（巻回バンド３の中央寄り）の帯状体５の開口ｏ２）に、左端５ｃ又は右端５ｄのいずれかから下クリップ片６ｂを差し込み、両クリップ片６ａ、６ｂを閉じれば、髪留め６は帯状体５に固定される。髪留め６は横幅が広い帯状体５に、庇に平行な状態（水平方向）で安定して固定されるため、バイザー１を被った使用者が動いてもぶらぶら揺れ動くことはない。このため、髪留め６を髪に留めたと同じ状態でバイザー１に留めることができ、バイザー１を被らない状態と被った状態とで統一したファッションを楽しむことができる。また、髪留め６は、それ自体が有する固定具（すなわちハサミクリップ）によって帯状体５に取り付けられているため、容易に取り付けたり取り外したりすることができる。従って、様々な装飾物（例えば、かんざし様の髪飾りやブローチ等）を取り付けて楽しむことができる。仮に装飾物の固定具が、横に並ぶ2つの帯状体５に亘る長さである場合は、固定具をそれら2つの帯状体５にまたがって通し、固定することができる。このように、長い固定具（装飾物）であっても、2つの帯状体５にまたがって取り付けることで、装飾物を、バイザー１に安定して取り付けることができる。なお、帯状体５は、巻回バンド３の上に殆ど弛みなく取り付けられているため、かんざし様の髪飾りの挿し棒を帯状体５の開口に差し込むだけでも安定して取り付けることができる。
【００２２】
（第２実施例）
図９は、本発明に係る帽子の第２実施例であるバイザー１０の斜視図であり、図１０〜図１５は、該バイザーの六面図である。
本実施例のバイザー１０は、帯状体が8つ備えられている点を除けば、第１実施例と同様であり、庇２と、巻回バンド３と、サイズ調節部４と、帯状体５から構成されている。
【００２３】
本実施例のバイザー１０には、その巻回バンド３周りの略全体に亘って、横幅約2.5 cmの帯状体５が一定の間隔（約2.5 cm）を空けて配置されているため、装飾物を、より自由な位置に取り付けることができる。本実施例のバイザー１０では、帯状体５は、それ自体で巻回バンド３を装飾する効果を有する。
【００２４】
上記実施例は本発明の一例であり、本発明の趣旨の範囲で適宜に変形や修正、追加が許容される。
例えば、上記の実施例では、庇と巻回バンド（サイドクラウン）を含むバイザーを例としてが、本発明の帽子は、クラウンが頭頂部を覆うものや、クラウン（又はサイドクラウン）の全周に庇（鍔）を有するものであってもよい。
また、帯状体の縦幅hは、装飾物の固定具を横から挿入できる開口を形成できる大きさであれば特に限定されない。また、帯状体は、その上下が帽子に安定して取り付けられていれば、その取り付け態様は縫合に限定されず、例えば面ファスナーやスナップボタンなどによって取り付けられていてもよい。縫合箇所も、帯状体の縦幅hに応じて適宜変更してよい。
【００２５】
帯状体に取り付けることができる装飾物は、ある程度の横幅のある固定具を有するものであれば、バレッタやクリップなどの髪留めや髪飾りなどに限定されることはなく、例えばブローチなどであってもよい。いずれにせよ、その固定具が長いピンのように或る程度の長さによりしっかりと固定されるようなものであれば、本発明を適用することが可能である。
さらに、図１６に示すように、眼鏡又はサングラス７を、そのレンズ部分７ａを庇の上に載せ、その左右のつる７ｂを、それぞれ左右の耳の上方に備えられた左右の帯状体５の横にある開口に挿入して、バイザー１０に安定させて保持することもできる。
【符号の説明】
【００２６】
１、１０…帽子（バイザー）
２…庇
３…巻回バンド（サイドクラウン）
４…サイズ調節部
５…帯状体
ｏ１、ｏ２、ｏ３…横の開口
６、７…装飾物
【要約】
【課題】髪留めなどの、長い固定具を有する装飾物を安定して取り付けることができ、且つ装飾物を容易に取り替えることが可能な帽子を提供する。
【解決手段】本発明に係るバイザー１は、巻回バンド３に設けられた、上下が該巻回バンド３に固定され、左右が開口している、横幅が1 cm以上の帯状体５を有することを特徴とする。帯状体５の左右の開口に、髪留めなどの装飾物６の固定具を挿入し固定することにより、装飾物６が庇２に平行な状態（すなわち、水平な状態）で安定して固定される。装飾物６は、装飾物自体が有する固定具によって帯状体５に取り付けられるため、容易に取り付けたり取り外したりすることが可能である。
【選択図】図１【図１】
0005633030.tif 000002
【図２】
0005633030.tif 000003
【図３】
0005633030.tif 000004
【図４】
0005633030.tif 000005
【図５】
0005633030.tif 000006
【図６】
0005633030.tif 000007
【図７】
0005633030.tif 000008
【図８】
0005633030.tif 000009
【図９】
0005633030.tif 000010
【図１０】
0005633030.tif 000011
【図１１】
0005633030.tif 000012
【図１２】
0005633030.tif 000013
【図１３】
0005633030.tif 000014
【図１４】
0005633030.tif 000015
【図１５】
0005633030.tif 000016
【図１６】
0005633030.tif 000017